(57)【要約】【課題】  コンピュータの起動時間を短縮し、内部のファンから発生する騒音を低減し、且つハードウエアのリソースの浪費を防ぎ、コンピュータ、通信、家電などの所謂３Ｃを整合し応用する映像、音声電源制御用インタフェースカードを提供する。【解決手段】  外部からの電力を供給する外部電源接続プラグと、該外部電源接続プラグの接続に供する外部接続電源ポートと、映像、音声信号を出力装置に伝送するメディアコネクタと、該メディアコネクタの接続に供する外部接続ポートと、演算処理ユニットと、マザーボードのＩＤＥソケットにＩＤＥ  ＢＵＳを介して接続するとともに、映像、音声読み取りデバイスに接続するＩＤＥポートと、一端に、コンピュータ本体の電源供給手段に接続し電力の供給を受けるとともに、選択的に映像、音声読み取りデバイスへの電流の出力を制限するアダプタと、該映像、音声読み取りデバイスに接続する複数のハードウエア電源コネクタとを接続してなる内部接続電源コードとによって構成する。【選択図】  図２ 
2005222156.tif 000002
【特許請求の範囲】
【請求項１】
外部からの電力を供給する外部電源接続プラグと、
該外部電源接続プラグの接続に供する外部接続電源ポートと、
映像、音声信号を出力装置に伝送するメディアコネクタと、
該メディアコネクタの接続に供する外部接続ポートと、
演算処理ユニットと、
マザーボードのＩＤＥソケットにＩＤＥ  ＢＵＳを介して接続するとともに、映像、音声読み取りデバイスに接続するＩＤＥポートと、
一端に、コンピュータ本体の電源供給手段に接続し電力の供給を受けるとともに、選択的に映像、音声読み取りデバイスへの電流の出力を制限するアダプタと、及び該映像、音声読み取りデバイスに接続する複数のハードウエア電源コネクタとを接続してなる内部接続電源コードとを含んでなり、
該演算処理ユニットのチップによる制御と、該アダプタの該電源供給手段との接続によって、コンピュータ本体の電源供給手段からの電力の供給を受けることなく、外部接続電源から供給される電力で複数の映像、音声読み取りデバイスを駆動し、且つ該コンピュータ本体の電源供給手段から供給される電力を受けて外部接続電源からの電力の供給を切断し、全てのリソースをマザーボードに返還して、該マザーボードによって起動し、作動させるように構成することを特徴とする映像、音声電源制御用インタフェースカード。
【請求項２】
前記映像、音声電源制御用インタフェースカードが、コンピュータのマザーボードに設けられたＰＣＩインタフェースカード拡張スロット内に設けられることを特徴とする請求項１に記載の映像、音声電源制御用インタフェースカード。
【請求項３】
前記映像、音声電源制御用インタフェースカードが、ＡＶアダプタ方式でコンピュータ本体に外部から接続することを特徴とする請求項１に記載の映像、音声電源制御用インタフェースカード。
【請求項４】
前記映像、音声電源制御用インタフェースカードが、ＡＶアダプタ方式でコンピュータ本体のフロッピースロットに設けられることを特徴とする請求項１に記載の映像、音声電源制御用インタフェースカード。
【請求項５】
前記映像、音声電源制御用インタフェースカードは、複数の規格に対応するメモリカードを読み取るメモリカードリーダーを接続することを特徴とする請求項１に記載の映像、音声電源制御用インタフェースカード。
【請求項６】
前記メモリカードの複数の規格は、スマートメディアカード、ＳＤカード、ＭＭＣカード、メモリースティックカード、コンパクトフラッシュカード、ＭＤカードを含むことを特徴とする請求項５に記載の映像、音声電源制御用インタフェースカード。
【請求項７】
前記メモリカード内に保存するデータが、マルチセクション方式で光ディスクに焼き込まれ、それぞれの光ディスクは最多９９セクションであり、即ち９９個のサブディレクトリーを具えることを特徴とする請求項５に記載の映像、音声電源制御用インタフェースカード。
【請求項８】
前記複数の規格に対応するメモリカードは、インタフェースがデジタル写真のファイル（JPEＧ、GIF、BMP）を再生する機能を有することを特徴とする請求項５に記載の映像、音声電源制御用インタフェースカード。
【請求項９】
前記映像、音声電源制御用インタフェースカードが、ＵＳＢ方式でコンピュータのマザーボードのシリアルポートに接続することを特徴とする請求項３に記載の映像、音声電源制御用インタフェースカード。
【請求項１０】
前記映像、音声電源制御用インタフェースカードが、IEEE１３８４方式でコンピュータのマザーボードのシリアルポートに接続することを特徴とする請求項３に記載の映像、音声電源制御用インタフェースカード。
【請求項１１】
前記映像、音声電源制御用インタフェースカードが、IEEE１３９４方式でコンピュータのマザーボードのシリアルポートに接続することを特徴とする請求項３に記載の映像、音声電源制御用インタフェースカード。
【請求項１２】
前記映像、音声読み取りデバイスがCD-ROMであることを特徴とする請求項１に記載の映像、音声電源制御用インタフェースカード。
【請求項１３】
前記映像、音声読み取りデバイスがDVD-ROMであることを特徴とする請求項７に記載の映像、音声電源制御用インタフェースカード。
【請求項１４】
前記映像、音声読み取りデバイスがCD-RW(+/-)であることを特徴とする請求項７に記載の映像、音声電源制御用インタフェースカード。
【請求項１５】
前記映像、音声読み取りデバイスがDVD-RW(+/-)であることを特徴とする請求項７に記載の映像、音声電源制御用インタフェースカード。
【請求項１６】
前記映像、音声読み取りデバイスがSVCDであることを特徴とする請求項７に記載の映像、音声電源制御用インタフェースカード。
【請求項１７】
前記映像、音声読み取りデバイスがDVCDであることを特徴とする請求項７に記載の映像、音声電源制御用インタフェースカード。
【請求項１８】
前記映像、音声読み取りデバイスがMP3であることを特徴とする請求項７に記載の映像、音声電源制御用インタフェースカード。
【請求項１９】
前記映像、音声読み取りデバイスがPhoto CDであることを特徴とする請求項７に記載の映像、音声電源制御用インタフェースカード。
【請求項２０】
前記映像、音声読み取りデバイスがDVカメラ（CAMERA）であることを特徴とする請求項７に記載の映像、音声電源制御用インタフェースカード。
【請求項２１】
前記映像、音声読み取りデバイスがデジタルカメラであることを特徴とする請求項７に記載の映像、音声電源制御用インタフェースカード。
【請求項２２】
前記メディアコネクタが外部接続方式で該映像、音声電源制御用インタフェースカードの外部接続ポートに接続することを特徴とする請求項１に記載の映像、音声電源制御用インタフェースカード。
【請求項２３】
前記メディアコネクタがSVHS/TV、Cable/Antenna Connector、AV/SVHS/TV、VGA Monitor、S-Video、Composite/TV、P-Scan、AV plug、D-sub、DVI port、scart cable、AM放送、FM放送、Music、Pictureなどを含む映像、音声信号出力ポートを具えることを特徴とする請求項２１に記載の映像、音声電源制御用インタフェースカード。
【請求項２４】
前記メディアコネクタに少なくとも一以上の表示パネルが設けられることを特徴とする請求項２１に記載の映像、音声電源制御用インタフェースカード。
【請求項２５】
前記メディアコネクタに複数のファンクションキーが設けられることを特徴とする請求項２１に記載の映像、音声電源制御用インタフェースカード。
【請求項２６】
前記メディアコネクタがリモートコントロール装置によって起動され、作動することを特徴とする請求項２１に記載の映像、音声電源制御用インタフェースカード。
【請求項２７】
前記映像、音声電源制御用インタフェースカードがMPEG1、MPEG2、MPEG3、MPEG4、MPEG7などの圧縮、解凍技術を具えることを特徴とする請求項１に記載の映像、音声電源制御用インタフェースカード。
【発明の詳細な説明】
【技術分野】
【０００１】
この発明は、パーソナルコンピュータの映像、音声電源制御用インタフェースカードに関し、コンピュータ本体の電源供給手段から電力を供給することなく、外部の電源に接続でき、マザーボードのリソースを消耗させることなく、バイオスを起動することなくインタフェースカード制御を行い、かつコンピュータのビデオリソースに掛かるハードウエアを起動して再生を行うか、もしくはコンピュータ本体の電源供給手段の供給する電力を受けて、コンピュータの電源をＯＮにした場合に外部から接続する電源を切断して、すべてのリソースをマザーボードに還元し、これを起動して使用し、係る動作によってコンピュータ、通信、家電などのいわゆる３Ｃの整合と応用を行うインタフェースカードに関する。
【背景技術】
【０００２】
この発明に類似した製品として、目下コンピュータ関連製品のメーカーであるＡｃｅｒグループが、ＡｓｐｉｒｅIIIと称し販売する製品が挙げられる。該製品は独特のクイックサーチダイヤル、クイックサーチリモコンなどと称する機能具え、Ｗｉｎｄｏｗｓ（登録商標）などのオペレーションシステムに入ることなく、任意にテレビ、ビデオ、コンパクトディスク・プレーヤー、画像、ラジオのＦＭ放送、パーソナルコンピュータなどを起動して、簡易な操作でＤＶＤ、ＶＣＤによる映像を再生したり、コンパクトディスク、ＭＰ３などによる音楽を再生したり、もしくはラジオのＦＭ放送を聞いたり、メモリカードに保存した写真などの画像を閲覧したりするディジタル視聴覚機能を作動させることができる。
【０００３】
但し、上述のようにコンピュータを仮に起動するモードは、コンピュータ、通信、家電などのいわゆる３Ｃの整合と応用であって、実際にはコンピュータ本体の電源供給手段から電力の供給を受け、かつコンピュータ本体の電源供給手段の電源ファン（ＣＨＡ  Ｆａｎ）及び中央演算処理装置の放熱ファン（ＣＰＵ  Ｆａｎ）を起動する。このため、中央演算処理装置と基本のバイアスもこれに伴ない作動して、あらゆるハードウエアがマザーボードを介して起動し、オペレーションシステムを立ち上げる。よって、コンピュータを立ち上げる時間が長くなり、しかも電源ファンと中央演算処理装置の放熱ファンの回転によって騒音が発生する。
【０００４】
また、上述の製品は、一種の切換えプログラムをコンピュータのハードディスクに保存し、ユーザーがオペレーションシステムを起動させ、クイックサーチダイヤル、クイックサーチリモコンを利用して異なる機能に切換えることができるように構成してなる。かかる機能の切換えとハードウエアの変更のための選択の過程において、コンピュータがスタンバイ状態から再起動する状況が発生し、重複してコンピュータを起動するため起動の時間が長くなり、且つマザーボードの記憶媒体（ＲＡＭ）もまたリソースが断続的に占められる状況が発生する。
【０００５】
また、仮にコンピュータを起動しない状態において、先にクイックリサーチダイアル、クイックリサーチリモコンを利用して所望する機能とハードウエアを選択した場合、コンピュータの電源はやはりＯＮの状態となり、コンピュータ本体の電源供給手段から電力の供給を受ける。コンピュータの本体の電源供給手段から電力の供給を受けると、コンピュータ本体の電源供給手段の電源ファンと中央演算処理装置の放熱ファンが起動し、これらファンの回転によって騒音が発生する。これに伴い中央演算処理装置とバイオスも作動し、あらゆるハードウエアの装置がマザーボードによって起動し、作動する。更に、ハードディスクに保存した切換えプログラムによってユーザーの選択した機能にリンクし、関連する画面を表示する。
【０００６】
上述の過程においてユーザーは真の意味でのコンピュータ、通信、家電などの所謂３Ｃを整合し、応用した環境を得ることができないのみか、コンピュータを起動させるための長い待ち時間と、それぞれのファンから発生する騒音を我慢しなければならない。即ち、ユーザーのニーズを満たす理想的な段階には至ってはいなく、一般にコンピュータを立ち上げ、オペレーションシステムによって影像・音声のデバイスを駆動する方式に比して実質的には何ら変わりがない。ただコンピュータを起動する場合、ハードディスクに保存した一種の切換えプログラムでコンピュータを起動するモードを切換えるだけのことである。
【０００７】
目下市場で販売されているコンピュータ、通信、家電などの所謂３Ｃの整合とその応用方法に存在する欠点は改良の必要がある。これらこの発明に類似する技術と比較した場合、この発明の重要性と実質的な進歩が十分に反映されている。
【発明の開示】
【発明が解決しようとする課題】
【０００８】
この発明は、コンピュータ、通信、家電などの所謂３Ｃを整合し応用するインタフェースカードであって、コンピュータを起動する時間を短縮し、電源ファンとＣＰＵの放熱ファンから発生する騒音を低減し、且つハードウエアのリソースの浪費を防ぐことのできる映像、音声電源制御用インタフェースカードを提供することを課題とする。
【課題を解決するための手段】
【０００９】
そこで本発明者は、従来の技術に鑑み鋭意研究を重ねた結果、外部からの電力を供給する外部電源接続プラグと、
該外部電源接続プラグの接続に供する外部接続電源ポートと、映像、音声信号を出力装置に伝送するメディアコネクタと、該メディアコネクタの接続に供する外部接続ポートと、演算処理ユニットと、マザーボードのＩＤＥソケットにＩＤＥ  ＢＵＳを介して接続するとともに、映像、音声読み取りデバイスに接続するＩＤＥポートと、
一端に、コンピュータ本体の電源供給手段に接続し電力の供給を受けるとともに、選択的に映像、音声読み取りデバイスへの電流の出力を制限するアダプタと、及び該映像、音声読み取りデバイスに接続する複数のハードウエア電源コネクタとを接続してなる内部接続電源コードとを含んでなる映像、音声電源制御用インタフェースカードの構造によって課題を解決できる点に着眼し、係る知見に基づき本発明を完成させた。
【００１０】
即ち、インタフェースカードの方式による装置をコンピュータのマザーボードのＰＣＩインタフェースカード拡張スロット内に設けてなり、外部の電源を接続するポートを設けて外部の電源を接続して電力の供給を受けるとともに、内部接続電源コードを設け、該電源コードの一端に、コンピュータ本体の電源供給手段に設けられた電源ソケットに接続するアダプタと、CD-ROM、DVD-ROM、CD-RW(+/-)、DVD-RW(+/-)、SVCD、MP3、CD、Photo CDなどの映像、音声読み取りデバイスに接続して、これら映像音声読み取りデバイスに電力を供給する複数のハードウエア電源コネクタを接続し、別途外部接続ポートを設けてメディアコネクタを接続する。該メディアコネクタコンピュータ本体の電源供給手段に接続し、該メディアコネクタはSVHS/TV、Cable/Antenna Connector、AV/SVHS/TV、VGA Monitor、S-Video、Composite/TV、P-Scan、AV plug、D-sub、DVI port、scart cable、AM放送、FM放送、Music、Pictureなどの映像、音声信号出力ポートを具え、外部接続方式で信号を出力してテレビ、もしくはコンピュータのモニタなどの出力装置に伝送する。また、ＩＤＥ接続ソケットを設けＩＤＥバスを介してマザーボードのＩＤＥ接続コードに接続し、更にＩＤＥバスを介して、CD-ROM、DVD-ROM、CD-RW(+/-)、DVD-RW(+/-)、SVCD、MP3、CD、Photo CDなどの映像、音声読み取りデバイスに接続する。
【００１１】
別途複数の規格に対応できるメモリカードインタフェースを設け、市場で販売される既存のメモリカードであるスマートメディアカード（Smart Media Card）、ＳＤカード（SD Card）、ＭＭＣカード（MMC Card）、メモリースティックカード（Memory Stick Card）、コンパクトフラッシュカード（Compact Flash Card）、ＭＤカード（MD Card）などを読み取ることができるように構成し、これらメモリカード内に保存したデータをマルチセクション方式で光ディスクに焼き込む。それぞれの光ディスクは最多９９個のセクション、即ち９９個のサブディレクトリーを具える。
【００１２】
係る構造によるこの発明の映像、音声電源制御用インタフェースカードは、外部から接続する電源の電力を利用する場合はコンピュータ本体の電源供給手段からの電力の供給を受けることなく、且つコンピュータのバイアスを起動することなく、マザーボードのリソースを使用することなく、CD-ROM、DVD-ROM、CD-RW(+/-)、DVD-RW(+/-)、SVCD、MP3、CD、Photo CDなどの映像、音声読み取りデバイスを起動することができ、且つSVHS/TV、Cable/Antenna Connector、AV/SVHS/TV、VGA Monitor、S-Video、Composite/TV、P-Scan、AV plug、D-sub、DVI port、scart cable、AM放送、FM放送、Music、Pictureなどの映像、音声信号出力ポートを具え、外部接続方式で信号をテレビ、コンピュータのモニターなどの出力装置に送信することができる
【００１３】
また、コンピュータ本体の電源供給手段から供給される電力を受ける場合は、コンピュータ本体の電源供給手段をＯＮにすると外部接続電源を切断し、全てのリソースをマザーボードに返還し、マザーボードによってデバイスを駆動し、作動させる。また、画像のキャプチャ機能を具え、コンピュータを起動させた後、この発明のインタフェースカードによってMPEG1、MPEG2、MPEG3、MPEG4、MPEG7などの圧縮、解凍技術と録画、再生機能を提供し、コンピュータ、通信、家電などの所謂３Ｃを整合し、応用することができる。
【００１４】
以下、この発明について具体的に説明する。
請求項１に記載する映像、音声電源制御用インタフェースカードは、外部からの電力を供給する外部電源接続プラグと、
該外部電源接続プラグの接続に供する外部接続電源ポートと、
映像、音声信号を出力装置に伝送するメディアコネクタと、
該メディアコネクタの接続に供する外部接続ポートと、
演算処理ユニットと、
マザーボードのＩＤＥソケットにＩＤＥ  ＢＵＳを介して接続するとともに、映像、音声読み取りデバイスに接続するＩＤＥポートと、
一端に、コンピュータ本体の電源供給手段に接続し電力の供給を受けるとともに、選択的に映像、音声読み取りデバイスへの電流の出力を制限するアダプタと、及び該映像、音声読み取りデバイスに接続する複数のハードウエア電源コネクタとを接続してなる内部接続電源コードとを含んでなり、
該演算処理ユニットのチップによる制御と、該アダプタの該電源供給手段との接続によって、コンピュータ本体の電源供給手段からの電力の供給を受けることなく、外部接続電源から供給される電力で複数の映像、音声読み取りデバイスを駆動し、且つ該コンピュータ本体の電源供給手段から供給される電力を受けて外部接続電源からの電力の供給を切断し、全てのリソースをマザーボードに返還して、該マザーボードによって起動し、作動させるように構成する。
【００１５】
請求項２に記載する映像、音声電源制御用インタフェースカードは、請求項１における映像、音声電源制御用インタフェースカードが、コンピュータのマザーボードに設けられたＰＣＩインタフェースカード拡張スロット内に設けられる。
【００１６】
請求項３に記載する映像、音声電源制御用インタフェースカードは、請求項１における映像、音声電源制御用インタフェースカードが、ＡＶアダプタ方式でコンピュータ本体に外部から接続する。
【００１７】
請求項４に記載する映像、音声電源制御用インタフェースカードは、請求項１における映像、音声電源制御用インタフェースカードが、ＡＶアダプタ方式でコンピュータ本体のフロッピースロットに設けられる。
【００１８】
請求項５に記載する映像、音声電源制御用インタフェースカードは、請求項１における映像、音声電源制御用インタフェースカードが、複数の規格に対応するメモリカードを読み取るメモリカードリーダーを接続する。
【００１９】
請求項６に記載する映像、音声電源制御用インタフェースカードは、請求項５におけるメモリカードの複数の規格が、スマートメディアカード、ＳＤカード、ＭＭＣカード、メモリースティックカード、コンパクトフラッシュカード、ＭＤカードを含む。
【００２０】
請求項７に記載する映像、音声電源制御用インタフェースカードは、請求項５におけるメモリカード内に保存するデータが、マルチセクション方式で光ディスクに焼き込まれ、それぞれの光ディスクは最多９９セクションであり、即ち９９個のサブディレクトリーを具える。
【００２１】
請求項８に記載する映像、音声電源制御用インタフェースカードは、請求項５における複数の規格に対応するメモリカードが、インタフェースがデジタル写真のファイル（JPEＧ、GIF、BMP）を再生する機能を有する。
【００２２】
請求項９に記載する映像、音声電源制御用インタフェースカードは、請求項３における映像、音声電源制御用インタフェースカードが、ＵＳＢ方式でコンピュータのマザーボードのシリアルポートに接続する。
【００２３】
請求項１０に記載する映像、音声電源制御用インタフェースカードは、請求項３における映像、音声電源制御用インタフェースカードが、IEEE１３８４方式でコンピュータのマザーボードのシリアルポートに接続する。
【００２４】
請求項１１に記載する映像、音声電源制御用インタフェースカードは、請求項３における映像、音声電源制御用インタフェースカードが、IEEE１３９４方式でコンピュータのマザーボードのシリアルポートに接続する。
【００２５】
請求項１２に記載する映像、音声電源制御用インタフェースカードは、請求項１における映像、音声読み取りデバイスがCD-ROMである。
【００２６】
請求項１３に記載する映像、音声電源制御用インタフェースカードは、請求項７における映像、音声読み取りデバイスがDVD-ROMである。
【００２７】
請求項１４に記載する映像、音声電源制御用インタフェースカードは、請求項７における映像、音声読み取りデバイスがCD-RW(+/-)である。
【００２８】
請求項１５に記載する映像、音声電源制御用インタフェースカードは、請求項７における映像、音声読み取りデバイスがDVD-RW(+/-)である。
【００２９】
請求項１６に記載する映像、音声電源制御用インタフェースカードは、請求項７における映像、音声読み取りデバイスがSVCDである。
【００３０】
請求項１７に記載する映像、音声電源制御用インタフェースカードは、請求項７における映像、音声読み取りデバイスがDVCDである。
【００３１】
請求項１８に記載する映像、音声電源制御用インタフェースカードは、請求項７における映像、音声読み取りデバイスがMP3である。
【００３２】
請求項１９に記載する映像、音声電源制御用インタフェースカードは、請求項７における映像、音声読み取りデバイスがPhoto CDである。
【００３３】
請求項２０に記載する映像、音声電源制御用インタフェースカードは、請求項７における映像、音声読み取りデバイスがDVカメラ（CAMERA）である。
【００３４】
請求項２１に記載する映像、音声電源制御用インタフェースカードは、請求項７における映像、音声読み取りデバイスがデジタルカメラである。
【００３５】
請求項２２に記載する映像、音声電源制御用インタフェースカードは、請求項１におけるメディアコネクタが外部接続方式で該映像、音声電源制御用インタフェースカードの外部接続ポートに接続する。
【００３６】
請求項２３に記載する映像、音声電源制御用インタフェースカードは、請求項２１におけるメディアコネクタがSVHS/TV、Cable/Antenna Connector、AV/SVHS/TV、VGA Monitor、S-Video、Composite/TV、P-Scan、AV plug、D-sub、DVI port、scart cable、AM放送、FM放送、Music、Pictureなどを含む映像、音声信号出力ポートを具える。
【００３７】
請求項２４に記載する映像、音声電源制御用インタフェースカードは、請求項２１におけるメディアコネクタに少なくとも一以上の表示パネルが設けられる。
【００３８】
請求項２５に記載する映像、音声電源制御用インタフェースカードは、請求項２１におけるメディアコネクタに複数のファンクションキーが設けられる。
【００３９】
請求項２６に記載する映像、音声電源制御用インタフェースカードは、請求項２１におけるメディアコネクタがリモートコントロール装置によって起動され、作動する。
【００４０】
請求項２７に記載する映像、音声電源制御用インタフェースカードは、請求項１における映像、音声電源制御用インタフェースカードがMPEG1、MPEG2、MPEG3、MPEG4、MPEG7などの圧縮、解凍技術を具える。
【発明の効果】
【００４１】
本発明の映像、音声電源制御用インタフェースカードは、コンピュータ、通信、家電などの所謂３Ｃを整合し応用するインタフェースカードであって、外部接続電源から電力の供給を受けるか、もしくはコンピュータ本体の電源供給手段からの電力の供給を受け、コンピュータを起動する時間を短縮し、電源ファンとＣＰＵの放熱ファンから発生する騒音を低減し、且つハードウエアのリソースの浪費を防ぐことができるという利点がある。
【発明を実施するための最良の形態】
【００４２】
この発明は、コンピュータ本体の電源供給手段から電力を供給することなく、外部の電源に接続でき、マザーボードのリソースを消耗させることなく、バイオスを起動することなくインタフェースカード制御を行い、かつコンピュータのビデオリソースに掛かるハードウエアを起動して再生を行うか、もしくはコンピュータ本体の電源供給手段の供給する電力を受けて、コンピュータの電源をＯＮにした場合に外部から接続する電源を切断して、すべてのリソースをマザーボードに還元し、これを起動して使用し、係る動作によってコンピュータ、通信、家電などのいわゆる３Ｃの整合と応用を行うインタフェースカードを提供するものであって、外部からの電力を供給する外部電源接続プラグと、該外部電源接続プラグの接続に供する外部接続電源ポートと、映像、音声信号を出力装置に伝送するメディアコネクタと、該メディアコネクタの接続に供する外部接続ポートと、演算処理ユニットと、マザーボードのＩＤＥソケットにＩＤＥ  ＢＵＳを介して接続するとともに、映像、音声読み取りデバイスに接続するＩＤＥポートと、一端に、コンピュータ本体の電源供給手段に接続し電力の供給を受けるとともに、選択的に映像、音声読み取りデバイスへの電流の出力を制限するアダプタと、及び該映像、音声読み取りデバイスに接続する複数のハードウエア電源コネクタとを接続してなる内部接続電源コードとによって構成する。
係る構成の映像、音声電源制御用インタフェースカードについて、その構造と特徴を詳述するために具体的な実施例を挙げ、以下に説明する。
【実施例１】
【００４３】
図１に記載する映像、音声電源制御用インタフェースカード（１０）は、演算処理ユニット（１０１）を内蔵し、その形態はMPEG de-coder and in-coder+ARM CPU if necessaryであって、MPEG1、MPEG2、MPEG3、MPEG4、MPEG7などの圧縮、解凍技術機能と好ましい計算速度を具え、またCD-ROM、DVD-ROM、CD-RW(+/-)、DVD-RW(+/-)などの類のハードウエアデバイスの駆動プログラムをATAPI interfaceに焼き付けてなる。
【００４４】
また、映像、音声電源制御用インタフェースカード（１０）にはＩＤＥポート（１０２）を設ける。即ち、ＩＤＥバスを介してマザーボードのＩＤＥソケットと該ＩＤＥポート（１０２）とを接続する。更に、ＩＤＥバスを介してCD-ROM、DVD-ROM、CD-RW(+/-)、DVD-RW(+/-)、SVCD、MP3、CD、Photo CDなどの映像、画像読み取りデバイスに接続する。
【００４５】
また、映像、音声電源制御用インタフェースカード（１０）には内部接続電源コード（１０３）を接続し、該内部接続電源コード（１０３）の一端にはアダプタ（１０３１）と、複数のハードウエア電源コネクタ（１０３２）を接続し、該内部接続電源コード（１０３）の一端のアダプタ（１０３１）をコンピュータ本体の電源供給手段に設けられた電源ソケットに接続し、ハードウエア電源コネクタ（１０３２）は、CD-ROM、DVD-ROM、CD-RW(+/-)、DVD-RW(+/-)、SVCD、MP3、CD、Photo CDなどの映像、音声読み取りデバイスに接続して、これら映像音声読み取りデバイスに電力を供給する。
【００４６】
また、映像、音声電源制御用インタフェースカード（１０）の外側面には外部接続電源ポート（１０４）を設け、外部電源接続プラグ（１０５）の接続に供する。更に別途外部接続ポート（１０６）を設け、メディアコネクタ（１０７）の接続に供する。該メディアコネクタ（１０７）はSVHS/TV、Cable/Antenna Connector、AV/SVHS/TV、VGA Monitor、S-Video、Composite/TV、P-Scan、AV plug、D-sub、DVI port、scart cable、AM放送、FM放送、Music、Pictureなどの映像、音声信号出力ポート（１０７１）を具え、外部接続方式で信号を出力してテレビ、もしくはコンピュータのモニタなどに伝送する。該メディアコネクタ（１０７）は適宜な位置に情報を表示する表示パネル（１０８）を設けてユーザーの確認に供する。該表示パネル（１０８）に近接する位置には、各種機能に切換えるためのファンクションキー（１０９）を設け、ユーザーの操作に供する。メディアコネクタ（１０７）の機能切換えは、操作の便宜を図るためにリモートコントロール方式にしてもよい。
【００４７】
図２は、この発明における電源制御の構造を表すブロック図であって、この発明の特徴と技術上のポイントを開示する。図面によれば、映像、音声電源制御用インタフェースカード（４０）はコンピュータ本体（３０）のＰＣＩインタフェースカード拡張スロット内に挿入し、外側の一端に外部接続電源（４０１）とメディアコネクタ（４０３）を接続し、且つアダプタ（４０２）を介してコンピュータ本体（３０）の電源供給手段（３０１）に接続する。更に映像、音声読み取りデバイス（３０２）に接続する。
【００４８】
映像、音声電源制御用インタフェースカード（４０）が外部接続電源（４０１）から電力の供給を受けると、アダプタ（４０２）を介して外部からの電力を直接CD-ROM、DVD-ROM、CD-RW(+/-)、DVD-RW(+/-)、SVCD、MP3、CD、Photo CDなどの映像、音声読み取りデバイスに伝送し、これらデバイスの駆動に供する。この場合、コンピュータ本体（３０）の電源供給手段（３０１）から電力の供給を受けることなく、且つコンピュータのバイアスを起動することなく、マザーボードのリソースを利用しない。また、コンピュータ本体（３０）の電源供給手段（３０１）から電力の供給を受けることもできる。この場合、コンピュータの電源をＯＮにするとアダプタ（４０２）と、映像、音声電源制御用インタフェースカード（４０）に設けられたチップの制御回路によって外部接続電源（４０１）からの電源の供給を切断し、全てのリソースをマザーボードに返還してCD-ROM、DVD-ROM、CD-RW(+/-)、DVD-RW(+/-)、SVCD、MP3、CD、Photo CDなどの映像、音声読み取りデバイスがコンピュータ本体（３０）の電源供給手段（３０１）から電力の供給を受け、且つマザーボードによって起動され、作動されるようにする。
【００４９】
この発明による映像、音声電源制御用インタフェースカードは、例えばコンピュータの周辺装置として利用される外部接続ハードディスクのように、ＡＶアダプタ方式を利用して外部接続してもよい。即ち、ＵＳＢインタフェース、ＩＥＥＥ１３８４、ＩＥＥＥ１３９４などのインタフェース、もしくはその他シリアルポートを利用してコンピュータ本体に外部接続してもよい。この場合、マザーボードのＰＣＩインタフェースカード拡張スロットに挿入する必要がなく、使用上便利な場所に設置することができる。または、コンピュータ本体のハウジングのフロッピースロットに設けることができる。
【００５０】
図３は、この発明にＵＳＢ方式を応用した実施形態にかかる構造のブロック図であって、図面に開示するように、映像、音声電源制御用インタフェースカード（Ａ５０）は、演算処理ユニット（u processor）（Ａ５０１）と、データストール（Date Store）フラッシュメモリ（Ａ５０２）と、データストールＲＡＭ（random access memory）（Ａ５０３）を内蔵して、データフローの伝送を行う。また、別途ＵＳＢホスト（USB Host）（Ａ５０４）を設けてカードリーダー（Ａ８０）の接続に供する。該カードリーダー（Ａ８０）はスマートメディアカード（Smart Media Card）、ＳＤカード（SD Card）、ＭＭＣカード（MMC Card）、メモリースティックカード（Memory Stick Card）、コンパクトフラッシュカード（Compact Flash Card）、ＭＤカード（MD Card）などを含む多種の規格の既存するメモリカードを読み取るための装置である。また、ＵＳＢ  ｔｏ  ＩＤＥ（Ａ６０）を介して映像、音声読み取りデバイス（Ａ７０）と接続し、データフローの伝送を行う。更に映像、音声電源制御用インタフェースカード（Ａ５０）は、ＵＳＢ  ＩＦ（Ａ９０）を介して外部のメディアコネクタに接続し、その他データフローの伝送を行うことができる。
【００５１】
上述のメモリカードに保存したデータは、マルチセッション方式で光ディスクに焼き込むことができる。光ディスクは最多９９個のセッション、即ち９９個のサブディレクトリーを具える。DVD+Ｒ/RWでビデオの内容を収録する場合、解析度の高低を選択することができる。仮に最高の解析度を選択した場合（MPEG2と同等か、もしくは更に高い解析度）、約１時間の収録ができる。その次に高い解析度（SVCDと同等か、もしくはそれより高い解析度）を選択した場合は、約２時間の収録ができる。最も低い段階の解析度（MPEG1と同等か、もしくは更に高い解析度）を選択した場合は、約４時間の収録ができる。DVD+R/RWはMPEG1（一般にVCDと称する）と等しいか、もしくは更に高い解析度を有し、十分に高い画面の品質を提供することができる。
【００５２】
また、上述のメモリカードはデジタル写真のファイル（（JPEG、GIF、BMP）の表示機能を具え、該カードリーダー（Ａ８０）はＩＤＥインタフェース、ＵＳＢインタフェースか、もしくはＩＥＥＥ１３８４、ＩＥＥＥ１３９４などのインタフェースを介してそれぞれの映像、音声読み取りデバイスに接続する。
【００５３】
図４は、この発明にＰＣＩ方式を応用した構造のブロック図であって、図面に開示するように、映像、音声電源制御用インタフェースカード（Ｂ５０）は、演算処理ユニット（u processor）（Ｂ５０１）と、データストール（Date Store）フラッシュメモリ（Ｂ５０２）と、データストールＲＡＭ（random access memory）（Ｂ５０３）を内蔵して、データフローの伝送を行う。また、別途ＵＳＢホスト（USB Host）（Ｂ５０４）を設けてカードリーダー（Ｂ８０）の接続に供する。該カードリーダー（Ｂ８０）はスマートメディアカード（Smart Media Card）、ＳＤカード（SD Card）、ＭＭＣカード（MMC Card）、メモリースティックカード（Memory Stick Card）、コンパクトフラッシュカード（Compact Flash Card）、ＭＤカード（MD Card）などを含む多種の規格の既存するメモリカードを読み取るための装置である。また、ＩＤＥ  ｃｏｎｔｒｏｌ（Ｂ６０）を介して映像、音声読み取りデバイス（Ｂ７０）と接続し、データフローの伝送を行う。更に映像、音声電源制御用インタフェースカード（Ｂ５０）は、ＰＣＩ  ＢＵＳ（Ｂ９０）を介して外部のメディアコネクタに接続し、その他データフローの伝送を行うことができる。
【００５４】
図５は、この発明による映像、音声電源制御用インタフェースカードをマザーボードのＰＣＩスロット（２０１）に挿入する状態を示した説明図である。図面に開示するように、この発明による映像、音声電源制御用インタフェースカードは、コンピュータ本体のハウジング（２０）背面に設けられるＰＣＩスロット（２０１）に挿入される。その内部接続方式は、図１の開示及びその説明の通りである。
【００５５】
また、この発明による映像、音声電源制御用インタフェースカードは、構造上のレイアウトを適宜に変更してその他関連する電子製品に応用することができ、電子製品に付加価値を与え、更に便利で実用性の高いものにすることができる。
【００５６】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００５７】
【図１】この発明による映像、音声電源制御用インタフェースカードの外観を示した説明図である。
【図２】図１に開示するインタフェースカードの構造を示したブロック図である。
【図３】ＵＳＢ方式を応用した映像、音声電源制御用インタフェースカードの構造を示したブロック図である。
【図４】ＰＣＩ方式を応用した映像、音声電源制御用インタフェースカードの構造を示したブロック図である。
【図５】この発明による映像、音声電源制御用インタフェースカードをコンピュータのＰＣＩスロットに設ける状態を示した説明図である。
【符号の説明】
【００５８】
１０  映像、音声電源制御用インタフェースカード
１０１  演算処理ユニット
１０２  ＩＤＥポート
１０３  内部接続電源コード
１０３１ アダプタ
１０３２ ハードウエア電源コネクタ
１０４  外部接続電源ポート
１０５  外部電源接続プラグ
１０６  外部接続ポート
１０７  メディアコネクタ
１０７１ 映像、音声信号出力ポート
１０８  表示パネル
１０９  ファンクションキー
２０  ハウジング
２０１  ＰＣＩスロット
３０  コンピュータ本体
３０１  電源供給手段
３０２  映像、音声読み取りデバイス
４０  映像、音声電源制御用インタフェースカード
４０１  外部接続電源
４０２  アダプタ
４０３  メディアコネクタ
Ａ５０  映像、音声電源制御用インタフェースカード
Ａ５０１ 演算処理ユニット
Ａ５０２ データストールフラッシュメモリ
Ａ５０３ データストールＲＡＭ
Ａ５０４ ＵＳＢホスト
Ａ６０  ＵＳＢ  ｔｏ  ＩＤＥ
Ａ７０  映像、音声読み取りデバイス
Ａ８０  カードリーダー
Ａ９０  ＵＳＢ  ＩＦ
Ｂ５０  映像、音声電源制御用インタフェースカード
Ｂ５０１ 演算処理ユニット
Ｂ５０２ データストールフラッシュメモリ
Ｂ５０３ データストールＲＡＭ
Ｂ５０４ ＵＳＢホスト
Ｂ６０  ＩＤＥ  ｃｏｎｔｒｏｌ
Ｂ７０  映像、音声読み取りデバイス
Ｂ８０  カードリーダー
Ｂ９０  ＰＣＩ  ＢＵＳ
【図１】
2005222156.tif 000003
【図２】
2005222156.tif 000004
【図３】
2005222156.tif 000005
【図４】
2005222156.tif 000006
【図５】
2005222156.tif 000007